(57)【要約】【課題】  成膜効率の高いパターン成膜を行う。【解決手段】  本発明のある態様のスパッタリング成膜装置においては、帯状の可撓性基板７を継続的に送り、円筒状のターゲット部４と基板７との間にマスク２５を配置して成膜処理を行う。マスク２５の開口は、基板７の給送方向に延びるように形成されている。加えて、本発明においては、基板７の給送動作に同期化させて回転ベルト式マスク２６を移動させる態様の成膜装置や、基板７の給送動作に同期化させて円筒状回転マスク３６を回転させる態様のスパッタリング成膜装置が提供される。【選択図】  図２
2011225932.tif 000002
【特許請求の範囲】
【請求項１】
帯状の可撓性の基板を長手方向に継続的に送るための基板給送機構と、
円筒の外周面にスパッタリングのための原料層が形成されていて該円筒の軸の周りに回転可能にされており、前記基板の幅方向に該軸を向けて前記基板の被成膜面との間に空隙を設けて配置される円筒状のターゲット部と、
一方の面と他方の面とによるある厚みをなし、該一方の面を前記基板の前記被成膜面に向け、該他方の面を前記ターゲット部の前記原料層に向けて前記空隙を仕切るように静止して配置され、前記一方の面と前記他方の面とを通じる開口が前記基板の給送方向に延びるように形成されている板状または膜状のマスクと
を備える
スパッタリング成膜装置。
【請求項２】
帯状の可撓性の基板を長手方向に継続的に送るための基板給送機構と、
円筒の外周面にスパッタリングのための原料層が形成されていて該円筒の軸の周りに回転可能にされており、前記基板の幅方向に該軸を向けて前記基板の被成膜面との間に空隙を設けて配置される円筒状のターゲット部と、
一方の面と他方の面とによるある厚みをなし、該一方の面を前記基板の前記被成膜面に向け、該他方の面を前記ターゲット部の前記原料層に向けて前記空隙を仕切るように静止して配置され、前記一方の面と前記他方の面とを通じる開口が複数形成されており、該開口それぞれの間の遮蔽部が前記基板の給送方向に延びるように形成されている板状または膜状のマスクと
を備える
スパッタリング成膜装置。
【請求項３】
帯状の可撓性の基板を長手方向に継続的に送るための基板給送機構と、
円筒の外周面にスパッタリングのための原料層が形成されていて該円筒の軸の周りに回転可能にされており、前記基板の幅方向に該軸を向けて前記基板の被成膜面との間に空隙を設けて配置される円筒状のターゲット部と、
一方の面と他方の面とによるある厚みをなし、該一方の面を前記基板の前記被成膜面に向け、該他方の面を前記ターゲット部の前記原料層に向けて前記空隙を通るように移動可能に設けられ、前記一方の面と前記他方の面とを通じる開口が複数形成されている膜状のマスクと、
前記空隙の少なくとも一部において前記基板に対する相対的な位置を保ちながら該マスクの膜を送るマスク移動機構と
を備える
スパッタリング成膜装置。
【請求項４】
前記膜状のマスクが輪をなす帯状にされており、
前記マスク移動機構は、前記輪をなす帯の延びる向きに前記マスクの膜を送る機構である
請求項３に記載のスパッタリング成膜装置。
【請求項５】
前記基板給送機構と前記マスク移動機構とが単一の駆動機によって駆動される
請求項３または請求項４に記載のスパッタリング成膜装置。
【請求項６】
前記マスク移動機構がマスク移動用駆動機を有しており、
該マスク移動用駆動機の動作速度を制御するための制御部をさらに備えており、
該制御部は、送られる前記基板と送られる前記マスクとの相対的な位置が保たれるように、または、送られる前記基板と送られる前記マスクとの両者に設けられた位置合わせマーカーが互いに一致するように、フィードバック制御により前記マスク移動用駆動機の動作を制御するものである
請求項３または請求項４に記載のスパッタリング成膜装置。
【請求項７】
帯状の可撓性の基板を長手方向に継続的に送るための基板給送機構と、
第１の円筒の外周面にスパッタリングのための原料層が形成されていて該第１の円筒の軸である第１の軸の周りに回転可能にされており、前記基板の幅方向に該第１の軸を向けて前記基板の被成膜面との間に空隙を設けて配置される円筒状のターゲット部と、
第２の円筒の壁に開口が設けられている円筒状のマスクであって、該第２の円筒の軸である第２の軸の周りに回転可能にされており、前記基板の幅方向に平行に該第２の軸を向け、内部に前記ターゲット部が配置されて前記第２の円筒の壁の少なくとも一部が前記空隙を通るように配置されている円筒状のマスクと、
送られている前記基板に対する相対的な位置を、前記空隙の前記少なくとも一部において保たせながら、前記円筒状のマスクを前記第２の軸の周りに回転させるためのマスク回転駆動機構と
を備える
スパッタリング成膜装置。
【請求項８】
前記基板給送機構と前記マスク回転駆動機構とが単一の駆動機によって駆動される
請求項７に記載のスパッタリング成膜装置。
【請求項９】
前記基板給送機構が基板給送用駆動機を備えており、
前記マスク回転駆動機構がマスク回転用駆動機を備えており、
前記基板給送用駆動機と前記マスク回転用駆動機とのうちの少なくともいずれかまたは両方の動作速度を制御するための制御部をさらに備えており、
該制御部は、フィードバック制御により、送られる前記基板と送られる前記マスクとの相対的な位置が保たれるように、前記基板給送用駆動機と前記マスク回転用駆動機とのうちの少なくともいずれかまたは両方の動作を制御する
請求項７に記載のスパッタリング成膜装置。
【請求項１０】
前記基板の少なくとも一部と前記マスクの少なくとも一部とを互いに対して固定する固定機構をさらに備える
請求項３、請求項４、請求項７のいずれか１項に記載のスパッタリング成膜装置。
【請求項１１】
前記マスクが、前記基板の成膜処理されている範囲において前記被成膜面から離間して配置される
請求項１乃至請求項４、および請求項７のいずれか１項に記載のスパッタリング成膜装置。
【発明の詳細な説明】
【技術分野】
【０００１】
本発明は、パターン成膜を行うためのスパッタリング成膜装置に関する。さらに詳細には、本発明は、可撓性基板を連続して給送して基板上に成膜する際に、マスクによってパターニングを行うスパッタリング成膜装置に関する。
【背景技術】
【０００２】
従来、真空槽にて成膜を行う成膜技術の一つとして、スパッタリング法が利用されている。とりわけ、優れた成膜速度を発揮するマグネトロンスパッタリング法が広範に利用されている。このマグネトロンスパッタリング法においては、成膜処理の際にマグネトロン放電が利用される。マグネトロン放電では、磁束により二次電子がターゲット付近に閉じ込められる。このため、イオン化されてスパッタリングに寄与する不活性ガスが多量に生じ、スパッタリング原子（成膜用材料）の量が増大される。その結果、成膜速度が増大される。なお、マグネトロン放電には磁界が必要となるため、例えば、基板に対向して配置されるターゲットまたはカソード電極の背面に永久磁石が配置される。
【０００３】
上記マグネトロンスパッタリング法においては、平板形状の一組の電極を用いる平行平板マグネトロンスパッタリング法や、円筒状のターゲットを用いる円筒状マグネトロンスパッタリング法が実用化されている。このうち、円筒型マグネトロンスパッタリング法は、成膜の処理効率が高く、膜質の一様性にも優れ、ターゲット材料の利用率が高いなどの特徴を有している。
【０００４】
また、成膜処理の生産性の点から、成膜に用いる基板にも種々のものが用いられている。可撓性（フレキシブル性）を有する帯状の基板、中でも長尺状または帯状の形状を有する基板を採用すれば、ロール状にして準備した基板を必要に応じて巻出して帯状の長手方向に送り、送られてくる基板を対象に何からの処理装置による処理を行い、その後必要に応じて再びロール状に巻取る、という取り扱いが可能となる。このため、帯状の可撓性基板によってロール状の基板を取り扱うこととすると生産性を大幅に高めることが可能となる。
【０００５】
このような帯状の可撓性基板を対象にする成膜処理の動作態様は、間欠成膜法と連続成膜法とに大別される。これらはいずれも、ロール状の基板を巻出したりロール状に巻取ったりする工程を含んでいる。
【０００６】
間欠成膜法は、成膜処理の動作（処理モード）と基板を搬送する動作（搬送モード）とを交互に実行する成膜手法である。この間欠成膜法における基板を搬送する態様をステップ搬送と呼ぶ。間欠成膜法の場合、処理モードにおいては基板の部分または領域のみを対象にして成膜処理が実行され、搬送モードにおいては一定距離（搬送ピッチ）だけ長手方向に基板が搬送される。
【０００７】
それに対して連続成膜法においては、成膜処理の際にも成膜用基板は停止されない。すなわち、連続成膜法においては、一定の速度によって連続してすなわち継続的に基板を送りながら、成膜装置を通過する基板の部分または領域を対象にして、連続的に成膜処理が施される。このため、連続成膜法においては、間欠成膜法の場合のように処理モードと搬送モードとを明瞭に区別して繰りかえす動作は行われない。
【０００８】
これらの間欠成膜法および連続成膜法において、スパッタリングされる膜または層が基板のある面の上に配置される場合には、当該面においてスパッタリングされる膜または層が形成される範囲を限定するパターン成膜も行われている。そのようなパターン成膜の処理は、典型的には、開口を設けた板または膜状の遮蔽用のマスクによってスパッタ原子を通過させる範囲を制限して行われる。
【０００９】
図１は、上述した円筒型マグネトロンスパッタリング法による成膜処理において、上述した間欠成膜法を採用してパターン成膜を行うためのパターン成膜装置７００の構成を示す構成図であり、図１(ａ)は構造を示す概略断面図、図１（ａ）は概略構成と処理動作を示す概略斜視図である。このパターン成膜装置７００においては、パターン成膜を実施するために、ターゲットユニット８７における円筒状放電電極８３の外周面のターゲット材８４と成膜用基板７７との間にパターン成膜用マスク８０が配置される。このパターン成膜用マスク８０には、膜を形成する範囲に適合させた形状の開口８０Ａが設けられて、その間を遮蔽部８０Ｓが占めている。
【００１０】
図１のパターン成膜装置７００を用いて間欠成膜法を採用する場合の処理モードでは、成膜用基板７７を静止させてスパッタリング成膜処理が実施される。このため、成膜用基板７７の被成膜面７７Ｆのうちパターン成膜用マスク８０によって遮蔽されない領域にのみ成膜が行われる。その結果、成膜用基板７７の一方の面の上には目的とするパターン７８ｂ（図１（ｂ））が形成される。処理モードにおいて目的の厚みの膜が形成されて対象にした成膜処理が完了すると、成膜動作は停止されて搬送モードに遷移する。搬送モードにおいては、図１（ｂ）に示すように、成膜用基板７７が所定の搬送ピッチＰだけ送られる。これにより、パターン７８ｂが形成された部分は成膜処理部から送出され、それと同時に次に処理対象となる部分が成膜処理部に導入される。以上のような処理モードと搬送モードとを交互に繰りかえし実行することによって、成膜用基板７７のステップ搬送を利用した成膜処理が、帯状の基板の各部に対して順次施される。
【先行技術文献】
【特許文献】
【００１１】
【特許文献１】特開２００７−２５４７９０号公報
【発明の概要】
【発明が解決しようとする課題】
【００１２】
しかし、上述した間欠成膜法によるパターン成膜においては、パターン成膜用マスク８０と成膜用基板７７との空隙の距離の調整に困難を伴う。すなわち、パターン成膜用マスク８０と成膜用基板７７との隙間（ギャップＧ、図１（ａ））を大きくとりすぎると、成膜モードにおいて成膜される各パターンの外周端（エッジ）が不明瞭となってしまう。しかし、だからといって、パターン成膜用マスク８０を成膜用基板７７に近づけすぎたり、極端には押し付けてしまうと、成膜用基板７７に傷がついたりその傷によって生じた塵が付着してしまう。
【００１３】
それに加えて、パターン成膜を実行する場合にさらに成膜処理効率を高めようとして、間欠成膜法ではなく連続成膜法を採用すると、基板を移動させながら成膜することに伴う特有の問題も追加される。すなわちまず、成膜用基板を連続的に送ると、成膜用基板それ自体の被成膜面やその上に形成されている成膜パターンがパターン成膜用マスクに対して接触する可能性が生まれてしまう。これは上述の間欠成膜法の搬送モードと同様である。もちろん、それを理由に成膜用基板とパターン成膜用マスクとの間の距離を離すと、パターンの精度が悪化することも上記の間欠成膜法と同様である。特に連続成膜法においては、送られて動いている基板に成膜が行われるため、可撓性の基板が厚み方向に変位する可能性を考慮に入れてその距離を設定する必要がある。このため、連続成膜法においては、成膜用基板や成膜パターンの擦り傷や塵の生成を抑止しつつ精度の良いパターニングを行うことは困難を極める。
【００１４】
そしてなにより、連続成膜法を採用すると、例えば図１に示したようなパターン成膜用マスク８０を利用しても、パターン成膜用マスク８０のパターンが形成されず、隣り合ったパターン同士がつながってしまうという問題に対処しなくてはならない。この点は、成膜処理中にパターン成膜用マスクに対して基板が移動する連続成膜法にとって任意のパターンによってパターン成膜を行うことが不可能であるため、パターン形状の選択の障害ともなり得る。
【００１５】
ここで、特許文献１（特開２００７−２５４７９０号公報）には、円筒形状のマグネトロン型回転カソードターゲットと、外周面に所定のパターンで形成された開口を有するマグネトロン型スパッタ装置が開示されている。このマグネトロン型スパッタ装置においては、ターゲットの外周を取り囲むように、ターゲットと離間して設置された円筒形状のマスク部材とが備えられており、薄膜形成用基材の表面に所定のパターンを有する薄膜が成膜される。しかし、そこで提案されるマグネトロン型スパッタ装置においては、基板とマスクとを互いに接触させながら成膜処理が行われるため、基板には傷が発生しやすく、パーティクルが付着しやすいという問題がある。
【００１６】
本発明は上述した問題の少なくともいずれかを解決することを課題とする。
【課題を解決するための手段】
【００１７】
本発明は、可撓性基板を連続してまたは継続的に送りながら基板上にスパッタリング成膜する際に、パターン成膜を適切に行うための手法を提供する。このような処理を実現するために本願の発明者が提案する対応策には、大別すると、マスクを固定または静止させておいて成膜処理を行う手法と、マスクを基板とともに送りながら成膜処理を行う手法とがある。
【００１８】
まず、発明者は、基板を送りながら成膜する場合は、マスクを固定しまたは静止させてパターン成膜を行っても必ずしもすべての条件においてパターン精度が悪化するともいえないことに気付いた。条件によっては、良好なパターン精度を得ることも可能である。そこで、その条件を詳細に検討したところ、発明者は、特に、基板が送られる方向と固定されているマスクのパターンとの関係を規定することが有用であるとの知見を得るに至った。
【００１９】
すなわち、本発明のある態様においては、帯状の可撓性の基板を長手方向に継続的に送るための基板給送機構と、円筒の外周面にスパッタリングのための原料層が形成されていて該円筒の軸の周りに回転可能にされており、前記基板の幅方向に該軸を向けて前記基板の被成膜面との間に空隙を設けて配置される円筒状のターゲット部と、一方の面と他方の面とによるある厚みをなし、該一方の面を前記基板の前記被成膜面に向け、該他方の面を前記ターゲット部の前記原料層に向けて前記空隙を仕切るように静止して配置され、前記一方の面と前記他方の面とを通じる開口が前記基板の給送方向に延びるように形成されている板状または膜状のマスクとを備えるスパッタリング成膜装置が提供される。これに代えて、マスクが、一方の面と他方の面とによるある厚みをなし、該一方の面を前記基板の前記被成膜面に向け、該他方の面を前記ターゲット部の前記原料層に向けて前記空隙を仕切るように静止して配置され、前記一方の面と前記他方の面とを通じる開口が複数形成されており、該開口それぞれの間の遮蔽部が前記基板の給送方向に延びるように形成されている板状または膜状のマスクとするスパッタリング成膜装置も提供される。
【００２０】
次に、発明者は、以上のようなマスクを用いることよって形成されるパターンは、任意のパターンのものとすることはできないことに着目した。つまり、上述の態様においては、固定されたまたは静止しているマスクを用いるために、形成しうるパターンが基板の送られる方向に沿って延びるパターンに限定されてしまう。そこで発明者は形成されるパターン形状に対する制限を緩和する手法をさらに探索した。その結果、そのパターン形状に対する制限は、マスクを基板とともに送りながら成膜処理を行うことによって一層緩和され、より多様なパターン形状を作製することが可能となるとの結論に至った。
【００２１】
すなわち、本発明の他の態様としては、本発明のある態様においては、帯状の可撓性の基板を長手方向に継続的に送るための基板給送機構と、円筒の外周面にスパッタリングのための原料層が形成されていて該円筒の軸の周りに回転可能にされており、前記基板の幅方向に該軸を向けて前記基板の被成膜面との間に空隙を設けて配置される円筒状のターゲット部と、一方の面と他方の面とによるある厚みをなし、該一方の面を前記基板の前記被成膜面に向け、該他方の面を前記ターゲット部の前記原料層に向けて前記空隙を通るように移動可能に設けられ、前記一方の面と前記他方の面とを通じる開口が複数形成されている膜状のマスクと、前記空隙の少なくとも一部において前記基板に対する相対的な位置を保ちながら該マスクの膜を送るマスク移動機構とを備えるスパッタリング成膜装置が提供される。
【００２２】
本発明のさらに他の態様としては、静止されないマスクとして他の態様のマスクを採用する構成も提供される。すなわち、本発明のある態様においては、帯状の可撓性の基板を長手方向に継続的に送るための基板給送機構と、第１の円筒の外周面にスパッタリングのための原料層が形成されていて該第１の円筒の軸である第１の軸の周りに回転可能にされており、前記基板の幅方向に該第１の軸を向けて前記基板の被成膜面との間に空隙を設けて配置される円筒状のターゲット部と、第２の円筒の壁に開口が設けられている円筒状のマスクであって、該第２の円筒の軸である第２の軸の周りに回転可能にされており、前記基板の幅方向に平行に該第２の軸を向け、内部に前記ターゲット部が配置されて前記第２の円筒の壁の少なくとも一部が前記空隙を通るように配置されている円筒状のマスクと、送られている前記基板に対する相対的な位置を、前記空隙の前記少なくとも一部において保たせながら、前記円筒状のマスクを前記第２の軸の周りに回転させるためのマスク回転駆動機構とを備えるスパッタリング成膜装置が提供される。
【発明の効果】
【００２３】
本発明のいくつかの実施形態における円筒状マグネトロンスパッタリング法を用いたスパッタリング成膜装置によれば、基板を連続してまたは継続的に送りながら成膜する円筒状マグネトロンスパッタリング法によってパターン成膜が実現される。
【図面の簡単な説明】
【００２４】
【図１】従来の間欠成膜法におけるパターン成膜装置の構成を示す概略構成図であり、図１(ａ)は構造を示す概略断面図、図１（ｂ）は概略構成と処理動作を示す概略斜視図である。
【図２】本発明のある実施形態の連続成膜装置の構成を示す概略構成図であり、図２（ａ）は概略構成を示す概略断面図であり、図２（ｂ）は概略構成と処理動作とを示す概略斜視図である。
【図３】本発明の円筒状マグネトロンスパッタリング装置において用いるターゲットユニットの構成を示す概略構成図であり、図３（ａ）は概略断面図であり、図３（ｂ）は概略平面図である。
【図４】本発明のある実施形態における連続成膜装置の構成を示す概略構成図であり、図４（ａ）は概略断面図であり、図４（ｂ）は概略構成と処理動作とを示す概略斜視図である。
【図５】本発明のある実施形態における連続成膜装置において用いる回転ベルト式マスクを示す概略斜視図（図５（ａ））、マスク部および成膜パターンを示す平面図（図５（ｂ））である。
【図６】本発明のある実施形態における連続成膜装置の構成を示す概略断面図であり、ある変形例（図６（ａ））と別の変形例（図６（ｂ））である。
【図７】本発明のある実施形態における連続成膜装置の構成のうち、成膜用基板の給送と回転ベルト式マスクの移動とを担う機構部分の構成（部分のみ）を示す概略断面図および概略斜視図であり、ある変形例（図７（ａ））と別の変形例（図７（ｂ））である。
【図８】本発明のある実施形態における連続成膜装置の構成を示す概略構成図であり、図８（ａ）は概略断面図であり、図８（ｂ）は概略構成と処理動作とを示す概略斜視図である。
【図９】本発明のある実施形態における連続成膜装置の構成のうち、円筒状回転マスクとの構成を示す概略斜視図であり、ある変形例（図９（ａ））と別の変形例（図９（ｂ））である。
【発明を実施するための形態】
【００２５】
以下、本発明の実施形態について説明する。以下の説明に際し特に言及がない限り、全図にわたり共通する部分または要素には共通する参照符号が付されている。また、図中、各実施形態の要素のそれぞれは、必ずしも互いの縮尺比を保って示されてはいない。
【００２６】
本発明の各実施形態においては、成膜される基板は、図１に関連して上述した間欠成膜法とは異なり、成膜処理の際、連続してまたは継続的に送られる。すなわち、基板は成膜処理中には給送され続けている。以下、まず、第１実施形態としてマスクを静止させて成膜処理を行う実施形態を説明する。次いで、第２実施形態および第３実施形態として、マスクを静止させずに成膜処理を行う実施形態を説明する。以下の各実施形態の説明において、円筒状マグネトロンスパッタリング法のための連続成膜装置として動作しうるように、説明および図示によって明示された以外の公知の要素が適宜付加されるものがある。各実施形態の特徴を明確にするために、そのような要素の説明および図示は適宜省略されている。
【００２７】
＜第１実施形態＞
本発明の第１実施形態として、円筒状マグネトロンスパッタリング法による成膜処理において、可撓性基板を連続して送りながらパターン成膜を実施するための実施形態を以下説明する。本実施形態においては、基板を給送する成膜処理の際にマスクは静止させたままにされる。
【００２８】
図２は、本実施形態のマグネトロンスパッタリングを用いる連続成膜装置１００の構成を示す概略構成図である。より詳細には、図２（ａ）は概略構成を示す概略断面図であり、図２（ｂ）は概略構成と処理動作とを示す概略斜視図である。連続成膜装置１００は、円筒状マグネトロンスパッタリング法においてマスクを固定させて連続成膜法を採用する際に用いられる。本実施形態において用いる成膜用基板７は、可撓性を有する膜状またはシート状の基板である。この成膜用基板７の材質としては、例えば、ポリイミドフィルムなどの各種の樹脂基板やステンレス薄板などの金属板などを用いることができる。
【００２９】
連続成膜装置１００における成膜される基板（成膜用基板７）の給送は、未処理の成膜用基板７を基板巻き出しコア１９から送り、処理後の成膜用基板7を基板巻取りコア２３に巻取って行われる。ここで、基板巻き出しコア１９は、基板給送機構１の一部として基板巻き出し室１８の中に配置されている。一方の基板巻取りコア２３も、基板給送機構１の一部として基板巻取り室２２に配置されている。
【００３０】
より具体的には、基板給送機構１は、巻出し側の基板給送機構１Ａと巻取り側の基板給送機構１Ｂとによって構成されている。基板給送機構１Ａおよび１Ｂにおいては、基板巻き出しコア１９および基板巻取りコア２３に、それぞれ、巻出し側の基板給送用駆動機２Ａおよび巻取り側の基板給送用駆動機２Ｂが連結されている。すなわち、巻出し側の基板給送用駆動機２Ａによって基板巻き出しコア１９を回転駆動して成膜用基板７を送り出す。そうして送られてきた成膜用基板７を、巻取り側の基板給送用駆動機２Ｂによって回転駆動されている基板巻取りコア２３に巻き取る。この際の基板給送用駆動機２Ａおよび２Ｂの回転速度によって成膜用基板７の移動速度が制御される。ここで、給送に伴って基板巻き出しコア１９および基板巻取りコア２３における成膜用基板７が巻かれる周面の直径が変化する等の種々の要因によって成膜用基板７の速度が変動する可能性がある。このため、成膜用基板７に接触していて成膜用基板７の給送とともに連れ回りする速度検知用のロールまたはローラー（図示しない）も設けられ、それによって検知された速度が一定となるように基板給送用駆動機２Ａおよび２Ｂの回転速度が制御されるように構成することも好ましい。なお、これらの基板給送用駆動機２Ａおよび２Ｂとしては、例えばサーボモーターなどを採用することができる。
【００３１】
成膜用基板７の給送の際に制御されるのは速度ばかりではない。基板巻き出し室１８および基板巻取り室２１に配置された基板給送ロール２０付近には、図示されない基板張力センサや基板位置センサなどが検出機構として備えられており、成膜用基板７の張力や制御ならびに幅方向の位置も制御される。つまり、連続成膜装置１００の基板巻き出し室１８および基板巻取り室２２には、基板給送ロール２０が適宜配置されている。この基板給送ロール２０は、可撓性の成膜用基板７の長手方向に加える張力を制御し、さらに、成膜用基板７の幅方向の位置を制御している。こうして、成膜用基板７は、基板の給送の障害となる皺の発生が抑制され、蛇行も生じないようにして給送される。以上のような基板給送機構１によって送られて、成膜用基板７はスパッタ成膜室２１を通過してゆく。
【００３２】
次に、成膜処理のために連続成膜装置１００に装備される各要素について説明する。スパッタ成膜室２１においては、成膜用基板７の成膜処理対象の面（被成膜面７Ｆ）は、図２（ａ）において紙面上の下方に向き、図２（ｂ）において紙面上手前に向いた面である。円筒状マグネトロンスパッタリング法によるパターン成膜を行うために、連続成膜装置１００には、ターゲットユニット１７とヒーター９とパターン成膜用マスク２５とがスパッタ成膜室２１の内部に配置されている。なお、真空槽において放電ガス（Ａｒなどの不活性ガス）や成膜プロセスガス（０２、Ｎ２などの反応性ガス）を満たした状態を維持して成膜を実施するため、基板巻き出し室１８および基板巻取り室２２にガスが流出しないようにスパッタ成膜室２１にはガスゲート２４が装備される。
【００３３】
このガスゲート２４を通過するように配置される成膜用基板７を、継続的に送り続けながら被成膜面７Ｆにパターン成膜が施される。この成膜処理の際には、成膜用基板７を送る方向に延びるパターン、すなわち、図２（ａ）および（ｂ）において紙面上の左右方向に延びるパターンとして、成膜パターン８ｃが形成される。その詳細については後述する。
【００３４】
この成膜処理には、ターゲットユニット１７が利用される。図３は、本実施形態の円筒状マグネトロンスパッタリング法による成膜法において用いられるターゲットユニット１７の構成を示す概略構成図である。より詳細には、図３（ａ）は概略断面図であり、図３（ｂ）は概略平面図である。ターゲットユニット１７は、円筒の外周面にスパッタリングのための原料層が形成されていて円筒の軸の周りに回転可能にされている円筒状ターゲット部４を有しており、その内部に、マグネットユニット設置用筒材１２が配置され、さらにその内筒の内部にマグネットユニット１１が配置されている。このうち、円筒状ターゲット部４は円筒状放電電極１３、原料層としてのターゲット材１４を有している。それ以外にも、ターゲットユニット１７には、冷却水１５、円筒状ターゲット部回転機構１６が含まれている。
【００３５】
円筒状ターゲット部４は、円筒状放電電極１３の円筒の外周面にスパッタリングのための成膜用材料（原料）がある厚みの層をなすようにターゲット材１４が形成されていて円筒の軸の周りに回転可能にされている。具体的には、成膜用材料であるターゲット材１４は、例えば溶射などにより円筒状放電電極１３（バッキングパイプ）に接合されている。
【００３６】
また、円筒状ターゲット部４内部に配置されるマグネットユニット１１は、スパッタ用マグネット（中央）１１ｂとスパッタ用マグネット（両端）１１ｃとを有している。スパッタ用マグネット１１ｂおよび１１ｃは、それぞれの磁極の一端が、マグネット用ヨーク１１ａに向けて配置され、他端がマグネットユニット設置用筒材１２の内周面に向いている。マグネットユニット設置用筒材１２と円筒状放電電極１３との配置を見ると、両者の円筒の軸は互いに平行な二つの直線からなる対をなすように配置されている。このとき、マグネットユニット設置用筒材１２の円筒の軸は、円筒状放電電極１３の円筒の軸よりも成膜用基板７に近づけられている。これにより、マグネットユニット設置用筒材１２が内側から円筒状放電電極１３に近づく部分が円筒状放電電極１３が成膜用基板７に近づく部分になるようにされている。この部分には、スパッタ用マグネット１１ｂおよび１１ｃの端から延びる磁束が通っている。こうして、円筒状放電電極１３の外周面のターゲット材１４と成膜用基板７との間の空隙に磁界パターン４０が生成されている。
【００３７】
なお、スパッタ用マグネット（中央）１１ｂとスパッタ用マグネット（両端）１１ｃの磁極は互いに逆転されていて、マグネットによる磁界パターン４０を形成するようにされている。マグネット用ヨーク１１ａの役割は、スパッタ用マグネット１１ｂおよび１１ｃを保持するとともに、それらのマグネットを含む磁気回路の一部となって磁界パターン４０の形成を助けることである。さらに、マグネットユニット１１は、マグネットユニット設置用筒材１２の円筒内の形状に適合するようにされている（図３（ａ））。すなわち、スパッタ用マグネット（両端）１１ｃは、スパッタ用マグネット（中央）１１ｂよりも短く作製されている。
【００３８】
次に、円筒状ターゲット部４の配置について説明する。円筒状ターゲット部４の向きは、図２（ａ）の紙面の前後に軸が向く向きである。つまり、円筒状ターゲット部４の軸は、成膜用基板７の幅方向を向いている。また、円筒状ターゲット部４の位置は、成膜用基板７と対向するように間に空隙（ギャップ）Ｇをおく位置である。
【００３９】
連続成膜装置１００においては、マグネトロンスパッタリングを実施するために、ここに述べた以外にも公知の真空技術が用いられる。つまり、真空または減圧槽である成膜室２１（図２（ａ））の内部が放電ガス（Ａｒなどの不活性ガス）や成膜プロセスガス（０２、Ｎ２などの反応性ガス）によって満たされている。円筒状放電電極１３およびターゲット材１４には、スパッタ放電用電源５（ＤＣ電源またはＲＦ電源、図３（ａ））が円筒状ターゲット部回転機構１６を介して接続され、所定の電圧を印加することによって放電が励起される。
【００４０】
成膜処理を行うことにより、円筒状ターゲット部４すなわち円筒状放電電極１３およびターゲット材１４は高温となる。これは成膜の放電現象のためである。この熱による影響を防止するため、円筒状放電電極１３の内部であってマグネットユニット設置用筒材１２の周囲の空間には冷却水１５が満たされて、冷却のために循環されている。冷却水１５によって円筒状マグネトロンスパッタ用マグネットユニット１１が濡れないように、マグネットユニット設置用筒材１２は気密性のある密閉容器となっている。
【００４１】
連続成膜装置１００においては、ヒーター９が配置される。その位置は、円筒状ターゲット部４からみて成膜用基板７の背面である。ヒーター９により適切に加熱されながらスパッタリング成膜が施されることにより、成膜用基板７において形成される成膜パターン８ｃの膜厚の均一性は高められ、その膜の付着力も強化される。
【００４２】
次に、円筒状ターゲット部４を回転駆動するための機構について説明する。図３（ｂ）は、本実施形態において用いられるターゲットユニット１７の概略の構成を示す概略平面図である。図３（ｂ）には、本実施形態の円筒状マグネトロンスパッタリング法において用いられる円筒状ターゲット部４のための回転機構１６が示されている。回転機構１６は、土台部１６ａ、駆動用モーター１６ｂ、回転テーブル１６ｃ、タイミングプーリー１６ｄ、およびタイミングベルト１６ｅにより構成される。土台部１６ａに設置されている駆動用モーター１６ｂは、タイミングプーリー１６ｄを回転させ、そのタイミングプーリー１６ｄが、タイミングベルト１６ｅを介して回転テーブル１６ｃを回転駆動する。この回転テーブル１６ｃには、回転テーブル１６ｃの回転中心に軸を合わせるようにして円筒状放電電極１３が設置されている。したがって、円筒状ターゲット部回転機構１６を用いることによって円筒状放電電極１３およびターゲット材１４を回転させることが可能となる。このようにして円筒状放電電極１３およびターゲット材１４を回転させることにより、一定箇所だけのターゲット材だけが消費されてしてしまうことを防止することが可能となる。
【００４３】
なお、円筒状放電電極１３およびターゲット材１４が回転駆動されるのに対し、円筒状マグネトロンスパッタ用マグネットユニット１１およびマグネットユニット設置用筒材１２は回転せず、常に同じ向きを向くようにされている。また、回転テーブル１６ｃと円筒状放電電極１３の嵌め合い部は、冷却水１５が漏れないようなシール構造とされている。こうして、上述したように円筒状放電電極１３の内部に冷却水１５を導入しても漏れないようにされている。
【００４４】
次に、再び図２に基づいてパターン成膜用マスク２５について説明する。パターン成膜用マスク２５は一方の面と他方の面とによるある厚みをなしている。その厚みは、図２（ａ）においては、紙面上の上方に位置する面と下方に位置する面との距離となる。パターン成膜用マスク２５の向きは、一方の面を成膜用基板７の被成膜面７Ｆに向け、他方の面を円筒状ターゲット部４のターゲット材１４（原料層）に向けるようにされている。パターン成膜用マスク２５は、概して板状または膜状の形状を有している。
【００４５】
パターン成膜用マスク２５の位置は、円筒状放電電極１３の外周面のターゲット材１４と成膜用基板７との間の空隙を仕切るような位置となる。ここで、パターン成膜用マスク２５には、一方の面と他方の面とを通じて通路をなす開口２５Ａが形成されている。この開口２５Ａは複数形成されていて、それらの間には、マスクまたはシールドとなる遮蔽部２５Ｓが設けられている。開口２５Ａの形状は、パターン成膜用マスク２５の面において、成膜用基板７の給送方向に延びるように形成されている。パターン成膜用マスク２５は、そのマスクの遮蔽部２５Ｓによってスパッタ原子がターゲットから成膜用基板７に到達することを妨げる。マスクの開口２５Ａにはそのような遮蔽の効果はない。
【００４６】
本実施形態において、パターン成膜用マスク２５は、連続成膜装置１００に対して静止している。このような静止した配置を実現するために、図示しない固定具または保持具によってパターン成膜用マスク２５が支持されている。そして、パターン成膜用マスク２５は、図２（ａ）に示すように、成膜用基板７の被成膜面７Ｆから離間して配置される。このパターン成膜用マスク２５と被成膜面７Ｆとの間の距離すなわちギャップＧを決定するためには、パターン成膜用マスク２５が成膜用基板７の被成膜面７Ｆや成膜された成膜パターン８ｃに接触する可能性を十分に小さくできること、および、成膜されるパターンの外周端が不明瞭とならないことが少なくとも考慮される。そのギャップＧの値を具体的に示すと、例えば０．５ｍｍ±０．２ｍｍ程度となるようにすることが好ましい。
【００４７】
次いで、上記の構成を備える連続成膜装置１００によって行われる成膜処理について説明する。連続成膜装置１００においては、図３（ａ）に示したように、ターゲット材１４と成膜用基板７の被成膜面７Ｆとの間に空隙が生じるように、ターゲットユニット１７が配置される。そして、その空隙には、放電現象の際に磁界パターン４０に沿った放射状の放電パターン６が生成される。円筒状放電電極１３の円筒の内部にマグネットユニット１１が配置されているのは、この磁界パターン４０を生成して成膜効率を高めるためである。そして、放電パターン６の影響の及ぶ領域に位置するターゲット材１４の部分では、スパッタリングが生じる。ターゲット材１４の表面からスパッタリングガスによってたたき出されたスパッタ原子（成膜用材料）は、その放電パターン６の部分から広がって成膜用基板７に堆積してゆく。こうして成膜パターン８ｃが形成される。この際、マスク２５を通して成膜が行われている。そしてこのような処理状態が継続されながらも、成膜用基板７は給送されて動いている状態も継続されている。成膜が進行しつつ成膜用基板７の給送も行われるため、成膜用基板７には、開口２５Ａに応じ膜が成長する部分と、遮蔽部２５Ｓに応じ膜が成長しない部分とが形成される。このため、成膜用基板７の被成膜面７Ｆに形成された成膜パターン８ｃは、成膜用基板７の給送方向に延びる形状、すなわち、図２（ａ）および（ｂ）において紙面上の左右方向に延びる形状となる。
【００４８】
このように、本発明の第１の実施形態の連続成膜装置１００においては、継続的に送られる基板に対して固定式マスク２５の開口を通して成膜が行われる。このため、成膜用基板を静止させることなく連続処理によってパターン形成を実施することが可能となって、処理効率の改善された成膜処理が実現される。
【００４９】
＜第２実施形態＞
第１実施形態の連続成膜装置１００を用いると、成膜用基板７の給送方向に延びる形状のパターンや成膜用基板７の幅方向に分割されたパターンを形成することができる。しかし、成膜用基板７の給送方向に分割されたパターンは、連続成膜装置１００として述べた構成のみでは形成することができない。そこで、本発明の第２実施形態として、成膜用基板７の給送方向に分割されたパターンを含む任意のパターンを形成するための実施形態を以下説明する。
【００５０】
図４および図５を参照して、本発明においてマスクを膜状または帯状にして送る円筒状ターゲットを用いるマグネトロンスパッタリング法におけるパターン成膜の連続成膜装置の実施形態（第２実施形態）について説明する。図４（ａ）は、第２実施形態に用いる連続成膜装置２００の概略の構成を示す断面図である。図４（ａ）に示したように第２実施形態におけるマスク２６は膜状にされていて帯状の形状に形成されている。そして、マスク２６は、全体としては輪をなすようにもされている。マスクの膜は、その輪をなす帯の延びる向きに送られる。このようなマスクの構成を、以下、回転ベルト式マスク２６と記す。
【００５１】
まず、図４（ａ）に示した回転ベルト式マスク２６について説明する。この回転ベルト式マスク２６は、成膜用基板７に向く一方の面と、円筒状ターゲット部４に向くもう一方の面とを有していて、回転ベルト式マスク２６の膜には、その一方の面と他方の面とを通じる通路をなす開口２６Ａが形成されている。ここで、回転ベルト式マスク２６には開口２６Ａが、一般には、複数形成されている。
【００５２】
連続成膜装置２００には、マスク移動機構３が備えられている。このマスク移動機構３によって、回転ベルト式マスク２６それ自体の移動の速度は、成膜用基板７の給送の速度に合わせるようにされる。これにより、回転ベルト式マスク２６は、円筒状ターゲット部４と成膜用基板７との空隙の少なくとも一部において、成膜用基板７に対する相対的な位置が保たれて移動される。このマスク移動機構３の動作、すなわち、回転ベルト式マスク２６を成膜用基板７の給送の進度に合わせて移動させる動作を、本出願においては、同期させて移動させる動作とも呼ぶ。このような同期させて移動させる動作を実現するために、回転ベルト式マスク２６の帯は、回転ベルト式マスク移動用ロール２７によって送って移動される。
【００５３】
図５は、円筒状ターゲット部４と回転ベルト式マスクを示す概略斜視図（図５（ａ））、ならびにマスク部および成膜パターンを示す平面図（図５（ｂ））である。図５（ａ）に示すように、回転ベルト式マスク２６は、円筒状ターゲット部４を取り囲む輪をなしている。さらに詳細に見ると、回転ベルト式マスク２６は、円筒状ターゲット部４の外周を取り囲むベルト部２６ａとマスク部２６ｂとからなる。このマスク部２６ｂはベルト部２６ａに対して着脱可能に取り付けられている。
【００５４】
回転ベルト式マスク２６に用いるマスク部２６ｂのマスクパターンは、成膜の目的に合わせて変更することも可能である。例えば、図５（ｂ）に示すマスク部２６ｃのように、成膜用基板の給送方向と直交する幅方向に延びるパターン（幅方向パターン）の開口２６Ａを設けることができる。これ以外にも、図５（ｂ）のマスク部２６ｄのように、給送方向と直交する幅方向に延びながら分割されているパターン（幅方向分割パターン）の開口２６Ａを採用することも可能である。このように、第２実施形態においては第１実施形態とは異なり、成膜用基板７の給送方向と同―方向の成膜パターン以外にも、給送方向と直交するような成膜パターンに対しても適用することが可能となる。
【００５５】
マスク部２６ｂの着脱が可能であることは、マスクを交換して様々なパターン形状に対応したパターン成膜が可能となるばかりではなく、別の利点にもつながる。すなわち、予備マスクを用意すれば、清掃作業やメンテナンス作業のために装置を停止させる時間を短縮することが可能となって、生産性が向上する。スパッタリングによる成膜処理を行うと必要となるターゲット材の清掃やマスクのメンテナンスの際にも、使用済のマスクを予備マスクへと交換するだけですぐに成膜を再開することが可能となるためである。
【００５６】
回転ベルト式マスク移動用ロール２７は、回転ベルト式マスク２６を移動させるために用いられる。この回転ベルト式マスク移動用ロール２７には、サーボモーターなどの移動用駆動機（図示しない）が連結されている。こうして回転ベルト式マスク２６の移動速度を制御することが可能となる。
【００５７】
図４（ｂ）に、回転ベルト式マスク２６を適用した円筒状マグネトロンスパッタリング法のパターン成膜の連続成膜装置２００の概略構成と処理動作とを概略斜視図により示す。この連続成膜装置２００においては、回転ベルト式マスク２６にはマスク部２６ｄ（図５（ｂ））が装着されている。このような連続成膜装置２００では、成膜用基板７の給送の速度に同期させて移動させる動作によって回転ベルト式マスク２６を回転移動させながら、連続的に成膜が実施される。これにより、成膜用基板７を停止させることなく、成膜パターン８ｅを形成することが可能となる。
【００５８】
本実施形態の連続成膜装置２００においては、回転ベルト式マスク２６と成膜用基板７との空隙の距離すなわちギャップＧが調整される。その値は、例えば、パターン成膜用マスク２６と成膜用基板７の間の間隔を０．５ｍｍ±０．２ｍｍ程度にすることが好ましい。この隙間は、大き過ぎるとパターン成膜の外周端（エッジ）がかすれてパターンが不明瞭となってしまい、逆に小さ過ぎると、回転ベルト式マスク２６が成膜用基板７に押し付けられかねず、成膜用基板７に傷が生じたり塵が付着したりする原因となる。
【００５９】
以上述べたように、同期させて移動させる動作によって成膜パターン８ｄや、成膜パターン８ｅを形成することが可能となる。なお、成膜パターン８ｄは、成膜用基板７の幅方向に延び長手方向に分割されたパターンであり、成膜パターン８ｅは、成膜用基板７の幅方向にも長手方向にも分割されたパターンである。
【００６０】
＜第２実施形態の変形例：給送中の成膜用基板とマスクの位置合わせ＞
形成されるパターンをより明瞭なものとするためには、成膜用基板７と回転ベルト式マスク２６との動作をより正確に一致させることが好ましい。つまり、実際に連続成膜装置を用いて成膜処理を行う場合には、成膜用基板７はスパッタリング成膜時の熱膨張により伸びて位置ずれなどが生じる可能性がある。形成するパターンの精度によっては、成膜用基板７と回転ベルト式マスク２６の各駆動機の互いの速度を単に一致させるだけでは不十分となる。
【００６１】
そこで、本実施形態においては、移動している成膜用基板７と回転ベルト式マスク２６とをより精密に同期させるすなわち位置合わせするために種々変形することができる。そのための変形例を変形例１〜３として説明する。
【００６２】
［変形例１：基板給送用駆動機とパターン成膜用マスク移動用駆動機の同一化］
図６を参照して、本実施形態の変形例１として、基板給送用駆動機とパターン成膜用マスク移動用駆動機とを同一化する実施形態について説明する。図６（ａ）に、本実施形態の変形例１として、回転ベルト式マスクを用いる連続成膜装置２２０の構成を示す。連続成膜装置２２０においては、基板の給送とパターン成膜用マスクの移動は、機械的に同一化される。この機械的な同一化はマスク移動機構３８と基板給送機構１とを組み合わせて実施される。具体的には、マスク移動機構３８は、基板巻き出しコア１９と回転ベルト式マスク移動用ロール２７との両者を、単一の駆動機である回転駆動用モーター２８によって駆動して行われる。ここで、成膜用基板７の給送は基板巻き出しコア１９の回転駆動によって制御され、同様に、マスク移動機構３８においては回転ベルト式マスク２６の回転移動は、回転ベルト式マスク移動用ロール２７の回転駆動によって制御される。図６（ａ）に示したように、基板巻き出しコア１９と回転ベルト式マスク移動用ロール２７とが、タイミングベルト２９を用いて互いの回転速度の比率が一定となるように維持される。なお、この構成を変更して回転駆動用モーター２８が駆動する対象を基板巻き出しコア１９ではなく基板給送ロール２０とすることも好ましい。基板巻き出しコア１９にロール状に巻かれた成膜用基板７のロールの直径が変化しても基板給送ロール２０による速度の制御には影響がないためである。また、回転駆動用モーター２８によって移動される成膜用基板７と回転ベルト式マスク２６との速度は、成膜処理が行われる位置において一致するようにされている。すなわち、上述の回転速度の比率は、成膜用基板７が熱膨張や張力によって伸びる場合には、その伸びが反映された比率とされる。以上のようにして、単一の駆動機である回転駆動用モーター２８によって駆動される成膜用基板７と回転ベルト式マスク２６との移動が機械的に同一化される。
【００６３】
なお、図６（ａ）に示した連続成膜装置２２０とは異なり、回転駆動用モーターによって巻取り用コア２３を駆動する構成を採用することも可能である。この場合であっても、回転駆動用モーターによって駆動される成膜用基板７と回転ベルト式マスク２６との移動の機械的な同一化を実現することに特段支障は生じない。
【００６４】
［変形例２：基板給送とパターン成膜用マスク移動のフィードバック制御］
再び図６を参照して、本実施形態の変形例２として、パターン成膜用マスクの移動動作にフィードバック制御を適用する実施形態について説明する。図６（ｂ）は、連続成膜装置２４０の構成を示す概略構成図である。本実施形態の変形例２においては、位置決め用マーカー３０が設けられている成膜用基板７ａと、位置決め用マーカー３１が設けられている回転ベルト式マスク２６Ｍとを用いる。この構成の連続成膜装置２４０においては、これらの位置決め用マーカー３０および３１が利用されることによって、回転ベルト式マスク２６Ｍの移動動作にフィードバック制御が適用されて、回転ベルト式マスク２６Ｍと成膜用基板７ａとが位置合わせされながら送られる。このパターン成膜用マスク２６Ｍの制御はマスク移動機構３９によって行われる。これにより、成膜用基板７ａと回転ベルト式マスク２６Ｍとに相対的な位置ずれが生じることが防止される。ちなみに、このような位置ずれを生じさせうる原因としては、例えば、成膜用基板７ａが伸びたりすることや、成膜用基板７ａと基板給送ロール２０との間にすべりが生じたりすることなどが挙げられる。
【００６５】
このような制御を伴って回転ベルト式マスク２６Ｍを送って移動させるために、マスク移動機構３９においては、回転ベルト式マスク２６Ｍのための駆動機（図示しない）の回転動作が制御される。この制御は、典型的には、回転ベルト式マスク２６Ｍの位置決め用マーカー３１が成膜用基板７ａの位置決め用マーカー３０と揃うように、その駆動機の回転速度および回転位相を制御することによって実行される。
【００６６】
こうして、マスク移動機構３９においては、成膜用基板７ａの給送に同期させるように回転ベルト式マスク２６Ｍの移動がフィードバック制御される。このフィードバック制御により、回転ベルト式マスク２６Ｍは、成膜用基板７ａに対する位置ずれが所定の範囲内となるように保って移動される。つまり、回転ベルト式マスク２６Ｍは成膜用基板７ａに対して位置決めされた状態を保って移動されるのである。
【００６７】
なお、本実施形態とは逆に、成膜用基板７ａを移動している回転ベルト式マスク２６Ｍに対して位置合わせすることも考えられる。しかし、その制御処理は非常に複雑となる。というのは、この連続成膜装置２４０においては、成膜用基板７ａの給送を安定させる目的の下、蛇行したり皺を生じさせたりしないように張力制御および基板端部位置の位置制御が成膜用基板７ａを対象として別途行われるためである。これらの張力制御および位置制御が施されて成膜用基板７ａの給送を行っているところにさらに制御を追加するような複雑な制御は、上述した本実施形態の連続成膜装置２４０においては必要ない。連続成膜装置２４０においては、回転ベルト式マスク２６Ｍの移動を成膜用基板７ａの給送に合わせるように制御を行うためである。
【００６８】
また、回転ベルト式マスク２６Ｍの移動速度の制御のために連続成膜装置２４０には、図示しないセンサ（光電センサなど）と、そのセンサの出力を受けて回転ベルト式マスク２６Ｍを駆動するための駆動機を制御するための制御器（図示しない）とが設けられる。そのセンサの出力を受ける制御器は、位置決め用マーカーを検出して双方の位置を割出し、位置決め用マーカー３０と位置決め用マーカー３１が一致するように駆動機を制御する。
【００６９】
［変形例３：成膜用基板と回転ベルト式マスクの固定化］
図７を参照して、本実施形態の変形例３として、成膜用基板と回転ベルト式マスクとを互いに固定化する実施形態について説明する。図７（ａ）には、連続成膜装置２６０において成膜用基板７ｂの給送と回転ベルト式マスク２６Ｈの移動とを担う機構部分のうちの関連する部分のみが示されている。また、連続成膜装置２６０の他の構成は、連続成膜装置２００（図４（ａ））と同様である。
【００７０】
この連続成膜装置２６０に用いる成膜用基板７ｂには、成膜用基板用スプロケット孔３２が設けられている。同様に、連続成膜装置２６０に用いる回転ベルト式マスク２６Ｈにも回転ベルト式マスク用スプロケット孔３３が設けられている。これらのスプロケット孔３２および３３を用いて成膜用基板７ｂと回転ベルト式マスク２６Ｈとを駆動するため、連続成膜装置２６０にはスプロケット駆動用ロール３４が設けられている。
【００７１】
連続成膜装置２６０においては、スプロケット駆動用ロール３４の歯が成膜用基板用スプロケット孔３２と回転ベルト式マスク用スプロケット孔３３とを通った状態を保って、成膜用基板７ｂの給送と回転ベルト式マスク２６Ｈの移動が継続され、その状態において成膜処理が行われる。したがって、給送される成膜用基板７ｂと移動する回転ベルト式マスク２６Ｈとが互いに対して固定化されており、その固定化された状態で成膜処理が行われる。
【００７２】
また、変形例３のさらなるバリエーションとして、成膜用基板の給送と回転ベルト式マスクの移動とを他の構成によって固定化する実施形態について説明する。図７（ｂ）は、連続成膜装置２６０（図６（ｂ））と同様に、連続成膜装置２８０において成膜用基板７ａの給送と回転ベルト式マスク２６Ｍの移動とを担う機構部分のうちの関連する部分のみを示している。なお、連続成膜装置２８０の他の構成は連続成膜装置２００（図４（ａ））と同様である。
【００７３】
この連続成膜装置２８０に用いる成膜用基板７ａには、図６（ｂ）に示した連続成膜装置２４０に用いた成膜処理の場合と同様に位置決め用マーカー３０が形成されている。同様に、回転ベルト式マスク２６Ｍにも、位置決め用マーカー３１が形成されている。連続成膜装置２８０においては、このような成膜用基板７ａと回転ベルト式マスク２６Ｍとが、変形例２に示した位置決め用マーカー（図６（ｂ））によって互いに位置合わせされる。この際、連続成膜装置２８０は、ニップロール３５によって成膜用基板７ａと回転ベルト式マスク２６Ｍとを挟み込みながら給送および移動させる。なお、ニップロール３５は、成膜用基板７ａと回転ベルト式マスク２６Ｍを挟んで双方を同時に給送および移動させるため、空転したりして位置ズレしないように、ゴムローラなどにより構成する。
【００７４】
こうして、連続成膜装置２８０においては、成膜用基板７ａの給送と回転ベルト式マスク２６の移動とが同期化され、そのように同期化された状態によって成膜処理が行われる。
【００７５】
以上に示した本発明の第２実施形態においては、変形例に示したものも含めて、パターン成膜用マスクが、継続的に送られている成膜用基板に同期して移動される。このため、成膜用基板を静止させることなく連続処理によってパターン形成を実施することが可能となって、処理効率の改善された成膜処理が実現される。さらに、第１実施形態に示した場合とは異なり、成膜用基板に形成されるパターンは、基板の給送方向に延びるパターンに制限されることはない。
【００７６】
＜第３実施形態＞
次に、図８および図９を参照して、円管状の回転マスクを適用した本発明の実施形態について説明する。図８（ａ）は、円筒状回転マスクを適用した円筒状マグネトロンスパッタリング法におけるパターン成膜の連続成膜装置３００の構成を示す概略断面図である。この連続成膜装置３００は、第２実施形態のパターン成膜装置２００（図４）の回転ベルト式マスク２６に代えて円筒状回転マスク３６を用いるように構成されている。この円筒状回転マスク３６は、成膜用基板７の給送の速度に同期させて回転駆動される。
【００７７】
まず、円筒状回転マスク３６の構成について説明する。図９に、連続成膜装置３００に用いる円筒状回転マスク３６の構成を示す概略斜視図を示す。連続成膜装置３００において、円筒状回転マスク３６は、円筒状ターゲット部４のなす円筒（第１の円筒）とは異なる第２の円筒をなしており、その円筒の壁に開口３６Ａが設けられた円筒状のマスクとなっている。
【００７８】
円筒状回転マスク３６の配置は、第２の円筒の軸の周りに回転可能にされている。その軸は、成膜用基板７の幅方向に平行に向いている。円筒状回転マスク３６は、円筒状ターゲット部４の周囲を取り囲むように配置される。したがって、円筒状回転マスク３６は、内部に円筒状ターゲット部４が配置され、また、第２の円筒の壁の少なくとも一部が、成膜用基板７と円筒状ターゲット部４の間の空隙を通るように配置されている。なお、任意選択として、円筒状回転マスク３６の円筒の軸つまり回転軸は、円筒状ターゲット部４のなす円筒の軸と一の直線を共有するように形成されて、円筒状回転マスク３６と円筒状ターゲット部４とが互いに同軸になるようにされていても良い。この円筒状回転マスク３６はリング部３６ａとマスク部３６ｂとにより構成されている。ここで、マスク部３６ｂはリング部３６ａから着脱可能な構造とする。
【００７９】
さらに、円筒状回転マスク３６は他の構成とすることも本実施形態に含まれる。例えば、図９（ｂ）に示したように、成膜用基板の給送方向に平行するような接線方向を与えるような遮蔽部を追加するマスク部３６ｃを採用することによって、成膜用基板の幅方向に分割されたパターンの成膜を行うような構成も、本実施形態に含まれる。
【００８０】
なお、円筒状回転マスク３６はマスクの着脱が可能である。このため、予備マスクを用意すれば、使用済のマスクを予備マスクへと交換することによってメンテナンス後に成膜を再開するまでの時間が短縮される。これにより、連続成膜装置３００においては、生産性を向上させることが可能となる。
【００８１】
本実施形態において、円筒状回転マスク３６は、図８（ａ）に示すように、成膜用基板７の被成膜面７ＦからギャップＧだけ離間して配置される。このギャップＧは、円筒状回転マスク３６が成膜用基板７の被成膜面７Ｆや成膜された成膜パターン８ｄに接触する可能性が十分に小さくなり、成膜されるパターンの外周端が不明瞭とならない程度の値にされる。具体的には、その値は０．５ｍｍ±０．２ｍｍ程度となるようにすることが好ましい。
【００８２】
本実施形態の連続成膜装置３００は、種々の変形を行うことも好ましい。例えば、円筒状回転マスク３６にサーボモーターなどの回転用駆動機を連結し、円筒状回転マスク３６の回転速度を制御可能とすることが好ましい。このように構成すれば、円筒状回転マスク３６の周速を成膜用基板７の速度に一致させることが可能となって、形成されるパターンが明瞭なものとなる。
【００８３】
次に本実施形態における成膜処理の動作について説明する。図８（ｂ）に、円筒状回転マスク３６を適用した円筒状マグネトロンスパッタリング法におけるパターン成膜の連続成膜装置３００を斜視図により示す。ここで、円筒状回転マスク３６にはマスク部３６ｃ（図９（ｂ））が装着されている。連続成膜装置３００を用いて実行される成膜処理において、成膜用基板７の給送速度と円筒状回転マスク３６の周速とを同期させる手法は、第２実施形態として示した連続成膜装置２００等の手法と同様である。すなわち、連続成膜装置２００に準じて、円筒状回転マサーボモーター転駆動するために用いる機構にサーボモーターなどの制御可能な駆動機（図示しない）を連結する。このような構成を採用することにより、円筒状回転マスク３６は、単に回転駆動されるだけではなく、その周速が制御される。
【００８４】
＜第３実施形態：変形例１＞
本実施形態も、好ましい変形例として、第２実施形態の変形例と類似の変形を行うことができる。具体的には、成膜用基板７の給送と、円筒状回転マスク３６を回転駆動とを単一の駆動機によって駆動することが好ましい。このような変形によって、成膜用基板７の給送の動作と円筒状回転マスク３６の回転動作とを容易に同一化することが可能となる。さらには、円筒状回転マスク３６を互いに固定化するための機構を用いることも好ましい。このためには、スプロケットを用いたり、ニップロールを用いたりする構成を取ることにより、好ましい成膜態様を実施するための成膜装置を構成することが可能となる。
【００８５】
以上に示した本発明の第３実施形態の連続成膜装置においては、円筒状回転マスクが、継続的に給送されている成膜用基板に同期して回転駆動される。このため、成膜用基板を静止させることなく連続処理によってパターン形成を実施することが可能となって、処理効率の改善された成膜処理が実現される。さらに、第２実施形態と同様に、成膜用基板に形成されるパターンは、基板の給送方向に延びるパターンに制限されることはない。
【００８６】
以上、本発明のいくつかの実施形態を具体的に説明した。上述の各実施形態は、発明を説明するために記載されたものであり、本出願の発明の範囲は、特許請求の範囲の記載に基づいて定められるべきものである。さらには、各実施形態の他の組合せを含む本発明の範囲内に存在する変形例もまた、特許請求の範囲に含まれるものである。
【産業上の利用可能性】
【００８７】
本発明は、成膜処理速度が速い円筒状ターゲットを用いる円筒状マグネトロンスパッタリング法を用いたスパッタリング成膜装置において、基板を停止することなく、パターン成膜を実施することが可能となる。これにより、例えば薄膜型太陽電池の電極の形成工程を高い生産効率によって行うことが可能となり、その太陽電池を用いる電力機器または電気機器の普及または高性能化に大きく貢献する。
【符号の説明】
【００８８】
１００、２００、２２０、２４０、２６０、２８０、３００  連続成膜装置
１  基板給送機構
１Ａ  巻出し側の基板給送機構
１Ｂ  巻取り側の基板給送機構
２Ａ  巻出し側の基板給送用駆動機
２Ｂ  巻取り側の基板給送用駆動機
３  マスク移動機構
４  円筒状ターゲット部
５  スパッタ放電用電源（ＲＦ電源またはＤＣ電源）
６  放電パターン
７、７ａ、７ｂ、７ｃ  成膜用基板
８ｂ、８ｃ、８ｄ、８ｅ  成膜パターン
９  ヒーター
１０  パターン成膜用マスク
１１  円筒状マグネトロンスパッタ用マグネットユニット
１１ａ  スパッタ用マグネット（中央）
１１ｂ  スパッタ用マグネット（両端）
１２  マグネットユニット設置用筒材
１３  円筒状放電電極
１４  スパッタリングターゲット材
１５  冷却水
１６  円筒状ターゲット部回転機構
１６ａ  土台部
１６ｂ  駆動用モーター
１６ｅ  回転テーブル
１６ｄ  タイミングプーリー
１６ｅ  タイミングベルト
１７  ターゲットユニット
１８  基板巻き出し室
１９  基板巻き出しコア
２０  基板給送ロール
２１  スパッタ成膜室
２２  基板巻取り室
２３  基板巻取りコア
２４  ガスゲート
２５  固定式マスク
２６  回転ベルト式マスク
２６ａ  回転ベルト式マスクベルト部
２６ｂ、２６ｃ、２６ｄ  回転ベルト式マスクのマスク部
２７  回転ベルト式マスク移動用ロール
２８  駆動用モーター
２９  タイミングベルト
３０  成膜用基板  位置決め用マーカー
３１  回転ベルト式マスク  位置決め用マーカー
３２  成膜用基板用スプロケット孔
３３  回転ベルト式マスク用スプロケット孔
３４  スプロケット駆動用ロール
３５  ニップロール
３６  円筒状回転マスク
３６Ａ  開口
３６ａ  円筒状回転マスクリング部
３６ｂ、３６ｃ  円筒状回転マスクマスク部
３８、３９  マスク移動機構
４０  磁界パターン
Ｇ  ギャップ
【図１】
2011225932.tif 000003
【図２】
2011225932.tif 000004
【図３】
2011225932.tif 000005
【図４】
2011225932.tif 000006
【図５】
2011225932.tif 000007
【図６】
2011225932.tif 000008
【図７】
2011225932.tif 000009
【図８】
2011225932.tif 000010
【図９】
2011225932.tif 000011